(57)【要約】【課題】  パーソナルコンピュータ等を操作する際に、目に入る正反射光の量及び拡散反射の光の量を減少させて目の疲れを少なくする。【解決手段】  一対のレンズ保持枠２、２、両レンズ保持枠２、２間を連結するブリッジ、各レンズ保持枠２に連結金具を介して回動自在に連結されるテンプル、各レンズ保持枠２に設けられる鼻当て用のパッド等の複数の部品から構成される裏面反射防止用メガネフレームであって、レンズ保持枠２、２の裏面側に凹凸処理により微小凹凸４を形成し、その表面に黒色系の被膜５を形成する。後方から入射する光は、レンズ保持枠２の裏面側の微小凹凸４によって散乱され、正反射光の量が減少させられる。また黒色系の被膜５によって吸収され、拡散反射の光の量が減少される。目に入る正反射光の量及び拡散反射光の量が減少されるので、目の疲れを少なくすることができる。【選択図】        図４
2005107396.tif 000002
【特許請求の範囲】
【請求項１】
一対のレンズ保持枠、両レンズ保持枠間を連結するブリッジ、各レンズ保持枠に連結金具を介して回動自在に連結されるテンプル、各レンズ保持枠に設けられる鼻当て用のパッド等の複数の部品から構成されるメガネフレームにおいて、少なくともレンズ保持枠の裏面側に凹凸処理を施して微小凹凸を形成したことを特徴とする裏面反射防止用メガネフレーム。
【請求項２】
一対のレンズ保持枠、両レンズ保持枠間を連結するブリッジ、各レンズ保持枠に連結金具を介して回動自在に連結されるテンプル、各レンズ保持枠に設けられる鼻当て用のパッド等の複数の部品から構成されるメガネフレームにおいて、少なくともレンズ保持枠の裏面側に黒色系の被膜を形成したことを特徴とする裏面反射防止用メガネフレーム。
【請求項３】
一対のレンズ保持枠、両レンズ保持枠間を連結するブリッジ、各レンズ保持枠に連結金具を介して回動自在に連結されるテンプル、各レンズ保持枠に設けられる鼻当て用のパッド等の複数の部品から構成されるメガネフレームにおいて、少なくともレンズ保持枠の裏面側に凹凸処理を施して微小凹凸を形成するとともに、その表面に黒色系の被膜を形成したことを特徴とする裏面反射防止用メガネフレーム。
【請求項４】
前記凹凸処理はマット処理である請求項１又は３に記載の裏面反射防止用メガネフレーム。
【請求項５】
前記黒色系の被膜は、黒色系の樹脂加工により形成されてなる請求項２又は３に記載の裏面反射防止用メガネフレーム。
【発明の詳細な説明】
【技術分野】
【０００１】
本発明は、裏面反射防止用メガネフレームに関し、特に、パーソナルコンピュータ等を操作する際に有効な裏面反射防止用メガネフレームに関するものである。
【背景技術】
【０００２】
メガネフレームの一例として、一対の環状のレンズ保持枠と、両レンズ保持枠の内縁部間を連結するブリッジと、各レンズ保持枠の外縁部に丁番を介して回動自在に連結されるテンプルと、各レンズの内縁部に設けられる鼻当て用のパッドとを備えたものが知られている。
【０００３】
このような構成のメガネフレームにあっては、レンズ保持枠の内側に視力矯正用等のレンズを取り付け、この状態で顔に装着することで視力を矯正等することができるものである。
【０００４】
しかしながら、上記のような構成のメガネフレームにあっては、顔に装着した状態でパーソナルコンピュータ等の操作を行なう場合に、操作者の後方からの光がメガネフレームの裏面側で反射して操作者の目に入り、目の疲労の原因となることがある（例えば、非特許文献１参照。）。
【非特許文献１】セイコーオプティカルプロダクツ株式会社、ホームページ（２００３年９月２４日検索）、インターネット＜ＵＲＬ：ｈｔｔｐ：／／ｗｗｗ．ｓｅｉｋｏ−ｏｐｔ．ｃｏ．ｊｐ／＞
【発明の開示】
【発明が解決しようとする課題】
【０００５】
本発明は、上記のような従来の問題を解決したものであって、パーソナルコンピュータ等の操作を行なう場合に、操作者の後方からの光が反射して目に入るのを防止し、これにより目の疲労を少なくすることができる裏面反射防止用メガネフレームを提供することを目的とするものである。
【課題を解決するための手段】
【０００６】
上記のような課題を解決するために、本発明の請求項１に係る裏面反射防止用メガネフレームは、一対のレンズ保持枠、両レンズ保持枠間を連結するブリッジ、各レンズ保持枠に連結金具を介して回動自在に連結されるテンプル、各レンズ保持枠に設けられる鼻当て用のパッド等の複数の部品から構成されるメガネフレームにおいて、少なくともレンズ保持枠の裏面側に凹凸処理を施して微小凹凸を形成した手段を採用している。
また、本発明の請求項２に係る裏面反射防止用メガネフレームは、一対のレンズ保持枠、両レンズ保持枠間を連結するブリッジ、各レンズ保持枠に連結金具を介して回動自在に連結されるテンプル、各レンズ保持枠に設けられる鼻当て用のパッド等の複数の部品から構成されるメガネフレームにおいて、少なくともレンズ保持枠の裏面側に黒色系の被膜を形成した手段を採用している。
さらに、本発明の請求項３に係る裏面反射防止用メガネフレームは、一対のレンズ保持枠、両レンズ保持枠間を連結するブリッジ、各レンズ保持枠に連結金具を介して回動自在に連結されるテンプル、各レンズ保持枠に設けられる鼻当て用のパッド等の複数の部品から構成されるメガネフレームにおいて、少なくともレンズ保持枠の裏面側に凹凸処理を施して微小凹凸を形成するとともに、その表面に黒色系の被膜を形成した手段を採用している。
さらに、本発明の請求項４に係る裏面反射防止用メガネフレームは、請求項１又は３に記載の裏面反射防止用メガネフレームにおいて、前記凹凸処理はマット処理である手段を採用している。
さらに、本発明の請求項５に係る裏面反射防止用メガネフレームは、請求項２又は３に記載の裏面反射防止用メガネフレームにおいて、前記黒色系の被膜は、黒色系の樹脂加工により形成されてなる手段を採用している。
【発明の効果】
【０００７】
本発明の裏面反射防止用メガネフレームによれば、顔に装着してパーソナルコンピュータ等の操作を行なった場合、操作者の後方からの光が裏面反射防止用メガネフレームの裏面側に入射すると、その光は少なくともレンズ保持枠の裏面側に設けられている微小凹凸によって散乱されることになる。従って、裏面側で正反射される光の量を減少させることができるので、目に入り込む正反射光の量を減少させることができ、目の疲労を少なくすることができる。
また、顔に装着してパーソナルコンピュータ等の操作を行なった場合、操作者の後方からの光がメガネフレームの裏面側に入射すると、その光は少なくともレンズ保持枠の裏面側に設けられている黒色系の被膜によって吸収されることになる。従って、裏面側で拡散反射される光の量を減少させることができるので、目に入り込む拡散反射光の量を減少させることができ、目の疲労を少なくすることができる。
さらに、顔に装着してパーソナルコンピュータ等の操作を行なった場合、操作者の後方からの光がメガネフレームの裏面側に入射すると、その光は少なくともレンズ保持枠の裏面側に設けられている微小凹凸によって散乱されるとともに、黒色系の被膜によって吸収されることになる。従って、裏面側で正反射される光の量及び拡散反射される光の量を減少させることができるので、目に入り込む正反射光の量及び拡散反射光の量を減少させることができ、目の疲労を少なくすることができる。
【発明を実施するための最良の形態】
【０００８】
以下、図面に示す本発明の実施の形態について説明する。
図１及び図２には、本発明による裏面反射防止用メガネフレームの第１の実施の形態が示されていて、この裏面反射防止用メガネフレームは、所謂フルリムタイプのメガネフレームであって、一対の環状のレンズ保持枠と、両枠の内縁部間を一体に連結する棒状のブリッジと、各レンズ保持枠の内縁部に支持脚（図示せず）を介して連結される鼻当て用のパッド（図示せず）と、各レンズ保持枠の外縁部に連結されるヨロイ（図示せず）と、各ヨロイに丁番（図示せず）を介して回動自在に連結されるテンプル（図示せず）と、テンプルの先端部に装着されるモダン（図示せず）とを備えている。
【０００９】
レンズ保持枠２、ブリッジ３、支持脚、ヨロイ、及びテンプルは、金属製であって、それらの素材としては、金、モネル、洋白、ベリリューム銅、ステンレス、純チタン、チタン合金等の純金属、合金が挙げられる。但し、これらに限定されることなく、他の純金属、合金であっても良い。
【００１０】
各レンズ保持枠２の裏面側には凹凸処理が施され、裏面側の全体に渡って微小凹凸４が設けられている。凹凸処理を施す手段としては、例えば、マット処理（「梨地処理」ともいう。）が挙げられる。
【００１１】
マット処理は、被加工物に向けて球状の弾を発射して衝突させ、被加工物の表面に弾の形状に応じた凹凸を形成する加工法であって、この実施の形態においては、粒子径４５〜９０μｍの弾（（株）東芝製、商品番号ＧＢ７３３）を用い、２〜３ｈＰａの圧力で弾を発射してレンズ保持枠２の裏面側に衝突させることを約３０秒間連続して行ない、レンズ保持枠２の裏面側の全体に４５〜９０μｍの微小凹凸４を形成している。弾を発射する圧力は、レンズ保持枠２の材質に応じた値に調整され、例えば、レンズ保持枠２が純チタンの場合には２〜２．５ｈＰａ、チタン合金の場合には３ｈＰａに調整される。
【００１２】
各レンズ保持枠２の裏面側に凹凸処理を施す手段は、マット処理に限らず、他の公知の手段であっても良い。要は、各レンズ保持枠２の裏面側に所定の大きさの微小凹凸４を形成することができるものであれば良い。
【００１３】
各レンズ保持枠２の裏面側に微小凹凸４を形成することにより、レンズ保持枠２の裏面側に入射する光は微小凹凸４によって散乱され、正反射光の量が減少される。微小凹凸４は、使用する弾の形状に応じた形状に形成されるものであって、この実施の形態においては略半球状に形成されている。微小凹凸４は、半球状に限らず、入射光を効率良く散乱させて、正反射光の量を減少させることができる形状であれば良い。
【００１４】
そして、上記のように構成したこの実施の形態による裏面反射防止用メガネフレーム１を顔に装着し、パーソナルコンピュータ等を操作し、操作者の後方から裏面反射防止用メガネフレーム１の裏面側に光が入射すると、その光はレンズ保持枠２の裏面側の微小凹凸４で散乱され、入射方向への正反射光の量が減少させられることになる。従って、操作者の目に入る正反射光の量を大幅に減少させることができるので、正反射光によって目が疲労するのを防止できることになる。
【００１５】
なお、前記の説明においては、レンズ保持枠２の裏面側に凹凸処理により微小凹凸４を形成したが、ブリッジ３の裏面側、テンプルの裏面側、支持脚の裏面側及び／又はヨロイの裏面側に凹凸処理により微小凹凸４を形成しても良いものであり、その場合にも、同様の作用効果を奏するものである。
【００１６】
図３には、本発明による裏面反射防止用メガネフレームの第２の実施の形態が示されていて、この裏面反射防止用メガネフレーム１は、各レンズ保持枠２の裏面側の全体に黒色系の被膜５を形成したものであって、その他の構成は前記第１の実施の形態に示すものと同様である。
【００１７】
各レンズ保持枠２の裏面側に黒色系の被膜５を形成する手段としては、各レンズ保持枠２の裏面上に緑黒七宝（緑黒色のエポキシ樹脂）、黒七宝（黒色のエポキシ樹脂）等をコーティングし、硬化させることにより被膜５を形成する手段が挙げられる。
【００１８】
そして、上記のように構成したこの実施の形態による裏面反射防止用メガネフレーム１を顔に装着し、パーソナルコンピュータ等を操作し、操作者の後方から裏面反射防止用メガネフレーム１の裏面側に光が入射すると、その光はレンズ保持枠２の裏面側の黒色系の被膜５によって吸収され、拡散反射される光の量が減少させられることになる。従って、操作者の目に入る拡散反射光の量を大幅に減少させることができるので、拡散反射光によって目が疲労するのを防止できることになる。
【００１９】
なお、前記の説明においては、レンズ保持枠２の裏面側に黒色系の被膜５を形成したが、ブリッジ３の裏面側、テンプルの裏面側、支持脚の裏面側及び／又はヨロイの裏面側に黒色系の被膜５を形成しても良いものであり、その場合にも、同様の作用効果を奏するものである。
【００２０】
図４には、本発明による裏面反射防止用メガネフレームの第３の実施の形態が示されていて、この裏面反射防止用メガネフレーム１は、各レンズ保持枠２の裏面側に凹凸処理により微小凹凸４を形成するとともに、微小凹凸４の表面に黒色系の被膜５を形成したものであって、その他の構成は前記第１及び第２の実施の形態に示すものと同様である。
【００２１】
そして、上記のように構成したこの実施の形態による裏面反射防止用メガネフレーム１を顔に装着し、パーソナルコンピュータ等を操作し、操作者の後方から裏面反射防止用メガネフレーム１の裏面側に光が入射すると、その光はレンズ保持枠２の裏面側の微小凹凸４で散乱され、入射方向への正反射光の量が減少させられる。また、微小凹凸４の表面の黒色系の被膜５によって吸収され、拡散反射される光の量が減少させられることになる。従って、操作者の目に入る正反射光の量及び拡散反射光の量を大幅に減少させることができるので、正反射光及び拡散反射光によって目が疲労するのを防止できることになる。
【００２２】
なお、前記の説明においては、レンズ保持枠２の裏面側に凹凸処理により微小凹凸４を形成し、その表面に黒色系の被膜５を形成したが、ブリッジ３の裏面側、テンプルの裏面側、支持脚の裏面側及び／又はヨロイの裏面側に凹凸処理により微小凹凸４を形成し、その表面に黒色系の被膜５を形成しても良いものであり、その場合にも、同様の作用効果を奏するものである。
【００２３】
なお、前記各実施の形態においては、フルリムタイプのメガネフレームに本発明を適用したが、他のタイプのメガネフレームに本発明を適用しても良いものである。
【実施例】
【００２４】
以下の９種類の試験片（試験片１〜９）を製作し、精密光沢計（ＧＭ−２６Ｄ）により正反射の相対比（１Ａ〜９Ａ）を測定し、携帯用分光色彩計により拡散反射の絶対量（１Ｂ〜９Ｂ）を測定した。その結果を図５に示す。
試験片１：ガラス（Ｎ１．５６７）
試験片２：金メッキ＋マット処理
試験片３：金メッキ
試験片４：金メッキ＋グレー＋マット処理
試験片５：金メッキ＋グレー
試験片６：金メッキ＋塗装ピンク
試験片７：金メッキ＋塗装ブラウン
試験片８：金メッキ＋七宝緑黒
試験片９：金メッキ＋七宝ブラウン
【００２５】
正反射については、試験片１Ａ（ガラス）の光沢（正反射）を１００とした場合、試験片２Ａ（金メッキ＋マット処理）は３３、試験片３Ａ（金メッキ）は６７８、試験片４Ａ（金メッキ＋グレー＋マット処理）は１５、試験片５Ａ（金メッキ＋グレー）は４３２、試験片６Ａ（金メッキ＋塗装ピンク）は４８０、試験片７Ａ（金メッキ＋塗装ブラウン）は２２６、試験片８Ａ（金メッキ＋七宝緑黒）は２９、試験片９Ａ（金メッキ＋七宝ブラウン）は３１という結果が得られた。
この結果から、金メッキしたものと比較して、マット処理を施したものは光沢の大幅な低減が得られ、また、七宝を施したものについても、光沢の大幅な低減が得られた。
【００２６】
また、拡散反射の絶対量については、試験片１Ｂ（ガラス）の絶対量を０とした場合、試験片２Ｂ（金メッキ＋マット処理）は６５、試験片３Ｂ（金メッキ）は４９、試験片４Ｂ（金メッキ＋グレー＋マット処理）は５３、試験片５Ｂ（金メッキ＋グレー）は７、試験片６Ｂ（金メッキ＋塗装ピンク）は８、試験片７Ｂ（金メッキ＋塗装ブラウン）は１０、試験片８Ｂ（金メッキ＋七宝緑黒）は３、試験片９Ｂ（金メッキ＋七宝ブラウン）は９という結果が得られた。
この結果から、黒色系の被膜を施したものが拡散反射の絶対量を大きく低減させることが分かった。
【図面の簡単な説明】
【００２７】
【図１】本発明による裏面反射防止用メガネフレームの第１の実施の形態を示した平面図である。
【図２】図１のＡ−Ａ線断面図である。
【図３】本発明による裏面反射防止用メガネフレームの第２の実施の形態を示した断面図である。
【図４】本発明による裏面反射防止用メガネフレームの第３の実施の形態を示した断面図である。
【図５】本発明による裏面反射防止用メガネフレームの特性を示した説明図である。
【符号の説明】
【００２８】
１  裏面反射防止用メガネフレーム
２  レンズ保持枠
３  ブリッジ
４  微小凹凸
５  被膜
【図１】
2005107396.tif 000003
【図２】
2005107396.tif 000004
【図３】
2005107396.tif 000005
【図４】
2005107396.tif 000006
【図５】
2005107396.tif 000007